(57)【要約】【課題】ユーザが検索し易いプレイリストを提供する。【解決手段】再生装置１は、ＣＤ読取部１６にセットされた記録媒体（ＣＤ）に記録された曲データをＨＤＤ２１に複製する複製手段と、ＨＤＤ１に複製した曲データを再生する再生手段とを有する。オーディオコントローラ１１は、ＣＤに記録されている曲データのプレイリストを作成するリスト作成手段、リスト作成手段により作成したプレイリストをＨＤＤ２１に保持させる手段、リスト作成手段により作成したプレイリストが予めＨＤＤ２１に保持されているプレイリストと所定の関係がある場合に、これらのプレイリストを結合するリスト結合手段として機能する。【選択図】        図１
2004348778.tif 000002
【特許請求の範囲】
【請求項１】
所定の読取手段にセットされた記録媒体に記録された曲データを所定の記録手段に複製する複製手段と、前記記録手段に複製した曲データを再生する再生手段とを有する再生装置において、
前記記録媒体に記録されている曲データのプレイリストを作成するリスト作成手段と、
前記リスト作成手段により作成したプレイリストを保持するリスト保持手段と、
前記リスト作成手段により作成したプレイリストが予め前記リスト保持手段に保持されているプレイリストと所定の関係がある場合に、これらのプレイリストを結合するリスト結合手段とを有することを特徴とする再生装置。
【請求項２】
所定の読取手段にセットされた記録媒体に記録された曲データを所定の記録手段に複製する複製手段と、前記記録手段に複製した曲データを再生する再生手段とを有する再生装置において、
前記記録媒体に記録されている曲データのプレイリストを作成するリスト作成手段と、
前記リスト作成手段により作成したプレイリストを保持するリスト保持手段と、
再生のために、前記リスト保持手段に保持されているプレイリストが選択された際、選択された該プレイリストが前記リスト保持手段に保持されているプレイリストと所定の関係のある場合に、これらのプレイリストを結合するリスト結合手段と、
前記リスト結合手段により結合したプレイリストを表示装置に表示する手段とを有することを特徴とする再生装置。
【請求項３】
前記再生装置は更に、
前記リスト結合手段によりプレイリストを結合する際に、プレイリストを結合するか否かをユーザに選択させるためのダイアログを表示するダイアログ表示手段を有することを特徴とする請求項１又は請求項２記載の再生装置。
【請求項４】
前記所定の関係は、前記記録媒体に付与されたタイトルが同一の関係、アーティスト名が同一の関係及び識別コードが連番の関係のうちの少なくともいずれか一つの関係を含むことを特徴とする請求項１から請求項３のいずれか一項に記載の再生装置。
【請求項５】
所定の読取手段にセットされた記録媒体に記録された曲データを所定の記録手段に複製し、複製した前記曲データを再生する曲データの再生方法において、
前記記録媒体に記録されている曲データのプレイリストを作成するリスト作成段階と、
前記リスト作成段階により作成したプレイリストをリスト保持手段に保持させる段階と、
前記リスト作成段階により作成されるプレイリストが予め前記リスト保持手段に保持されているプレイリストと所定の関係がある場合に、これらのプレイリストを結合するリスト結合段階とを有することを特徴とする曲データの再生方法。
【請求項６】
所定の読取手段にセットされた記録媒体に記録された曲データを所定の記録手段に複製し、複製した前記曲データを再生する曲データの再生方法において、
前記記録媒体に記録されている曲データのプレイリストを作成するリスト作成段階と、
前記リスト作成段階により作成したプレイリストをリスト保持手段に保持させるリスト保持段階と、
再生のために、前記リスト保持手段に保持されているプレイリストが選択された際、選択された該プレイリストが前記リスト保持手段に保持されているプレイリストと所定の関係のある場合に、これらのプレイリストを結合するリスト結合段階と、
前記リスト結合段階により結合したプレイリストを表示装置に表示する段階とを有することを特徴とする曲データ再生方法。
【請求項７】
前記曲データの再生方法は更に、
前記リスト結合段階によりプレイリストを結合する際に、プレイリストを結合するか否かをユーザに選択させるためのダイアログを表示するダイアログ表示段階を有することを特徴とする請求項５又は請求項６記載の曲データの再生方法。
【請求項８】
所定の読取手段にセットされた記録媒体に記録された曲データを所定の記録手段に複製し、前記記録手段に複製した曲データを再生するためにコンピュータを、
前記記録媒体に記録されている曲データのプレイリストを作成するリスト作成手段、
前記リスト作成手段により作成したプレイリストをリスト保持手段に保持させる手段、
前記リスト作成手段により作成したプレイリストが予め前記リスト保持手段に保持されているプレイリストと所定の関係がある場合に、これらのプレイリストを結合するリスト結合手段として機能させる曲データの再生プログラム。
【請求項９】
所定の読取手段にセットされた記録媒体に記録された曲データを所定の記録手段に複製し、前記記録手段に複製した曲データを再生するために、コンピュータを、
前記記録媒体に記録されている曲データのプレイリストを作成するリスト作成手段、
前記リスト作成手段により作成したプレイリストをリスト保持手段に保持させるリスト保持手段、
再生のために、前記リスト保持手段に保持されているプレイリストが選択された際、選択された該プレイリストが前記リスト保持手段に保持されているプレイリストと所定の関係のある場合に、これらのプレイリストを結合するリスト結合手段、
前記リスト結合手段により結合したプレイリストを表示装置に出力する手段として機能させる曲データの再生プログラム。
【請求項１０】
前記曲データの再生プログラムは更に、
前記リスト結合手段によりプレイリストを結合する際に、プレイリストを結合するか否かをユーザに選択させるためのダイアログを表示装置に出力するダイアログ出力手段を有することを特徴とする請求項８又は請求項９記載の曲データの再生プログラム。
【発明の詳細な説明】
【０００１】
【発明の属する技術分野】
本発明は、再生装置、曲データの再生方法、曲データ再生プログラムに関する。
【０００２】
【従来の技術】
近年、デジタル技術の進展に伴ってオーディオ信号をデジタル信号として記録し、再生するデジタルオーディオシステムが広く普及している。例えば、音楽ＣＤ（コンパクトディスク）やＭＤ（ミニディスク）等がオーディオ信号に対応するデジタル信号の情報記憶媒体として用いられており、これらの情報記憶媒体に格納されたデジタル信号を読み出すことによりオーディオ音の再生が行われる。
【０００３】
また、最近では、音楽データを高品質かつ高効率に圧縮する音楽データ圧縮技術が注目されており、ＭＰ３（ＭＰＥＧ１オーディオ・レイヤＩＩＩ）、ＴｗｉｎＶＱ（Ｔｒａｎｓｆｏｒｍ  ｄｏｍａｉｎ  ｗｅｉｇｈｔｅｄ  ｉｎｔｅｒｌｅａｖｅ  Ｖｅｃｔｏｒ  Ｑｕａｎｔｉｚａｔｉｏｎ）、ＡＴＲＡＣ（Ａｄａｐｔｉｖｅ  Ｔｒａｎｓｆｏｒｍ  Ａｃｏｕｓｔｉｃ  Ｃｏｄｉｎｇ）等の各種の圧縮暗号化方式が普及している。
【０００４】
例えば、ＭＰ３方式を用いた場合には、音楽データをその品質をほとんど損なうことなく１／１０程度のデータ量に圧縮することができる。すなわち、従来の音楽ＣＤ１枚分（７４分間程度）に相当する６５０ＭＢの音楽データであれば、その音質をほぼ保ったままで６５ＭＢ前後のデータ量に圧縮することができることになる。逆に言えば、ＭＰ３方式等により音楽データの圧縮を行うことで、従来の音楽ＣＤ１０枚分に相当する音楽データを圧縮して１枚のＣＤに記憶させることができる。
【０００５】
このように、各種の圧縮方式によって圧縮された音楽データを各種の情報記憶媒体に格納しておき、この圧縮音楽データに基づいて音楽再生を行うタイプの再生装置が普及している。
【０００６】
また、音楽ＣＤ等の音楽メディアに記録されたＴＯＣ（Ｔａｂｌｅ  Ｏｆ  Ｃｏｎｔｅｎｔｓ）情報を使用してアーティスト名、ＣＤタイトル及びトラックタイトル等の音楽メディアに記録されていないデータ（楽曲情報）を検索し、それらのデータを管理する装置が提案されている。
【０００７】
音楽ＣＤには、オーディオ信号の他に、トラック数、各トラックの開始アドレス及び各トラック毎の演奏時間等のデータが含まれている。これらのデータはＴＯＣ情報といわれ、ＣＤの内周側のリードイン領域に書き込まれている。一般的なオーディオ装置では、音楽ＣＤの演奏中には、ディスプレイにトラック番号及び演奏時間を表示している。しかし、音楽ＣＤにはアーティスト名、ＣＤタイトル及びトラックタイトル（曲名）等のデータは記録されていないので、再生中の楽曲の曲名やアーティスト名を表示することはできない。
【０００８】
このため、近年、音楽ＣＤに含まれるＴＯＣ情報を使用して、ＴＯＣ情報に含まれていないアーティスト名、ミュージックジャンル、ＣＤタイトル及びトラックタイトル等の情報（楽曲情報）をデータベースから検索し、それらのデータを管理する音楽管理用ソフトウエアが開発されている。
【０００９】
また、インターネットには、このような音楽情報管理に使用するためのデータベース（ＣＤＤＢ）が公開されている。このＣＤＤＢは、音楽ＣＤに収録された楽曲情報を検索・認識するデータベースである。
【００１０】
この種の音楽情報管理システムでは、例えば、クライアント側のコンピュータのＣＤドライブに音楽ＣＤを装填すると、コンピュータはＣＤドライブにより読み出されたＴＯＣ情報を、通信回線を介して所定のＣＤＤＢ側のサーバに送信する。ＣＤＤＢ側のサーバでは、クライアントから送られてきたＴＯＣ情報を検索キーとしてデータベース内を検索し、当該ＣＤのＣＤタイトル、アーティスト名、ミュージックジャンル及びトラックタイトル等の情報をクライアントに送信する。
【００１１】
クライアントでは、ＣＤＤＢ側のサーバから送られてきた楽曲情報をＴＯＣ情報と関連付けてプレイリストを作成し、作成したプレイリストをコンピュータの記憶装置に記憶する。そして、音楽ＣＤを再生するときには、プレイリストをユーザに提供するようにしている。
【００１２】
特許文献１は、プレイリストを作成できる情報処理装置を提案している。
【００１３】
【特許文献１】
特開２００２−１２３２６７号公報
【発明が解決しようとする課題】
しかしながら、音楽ＣＤから上記のような圧縮暗号化方式に変換して録音する装置には、一般に、▲１▼音楽ＣＤ全てを録音するモード、▲２▼１曲目のみを録音するモード、▲３▼選択した曲のみを録音するモード、▲４▼現在聞いている曲のみを録音するモードがある。また、音楽ＣＤには、ライブ盤やベスト盤が存在し、これらの音楽ＣＤでは、１つのアルバムでも複数枚に渡るものが多く出回っている。
【００１４】
そして、この複数枚に渡る音楽ＣＤを録音する際は、通常上記▲１▼のモードを用いて録音を行うが、ＣＤＤＢがディスク毎の情報で構成されているため、複数枚に渡る音楽ＣＤを録音する場合には、ディスク毎にプレイリストが作成されてしまい、１つのアルバムに対して２枚組であれば２つのプレイリスト、３枚組であれば３つのプレイリストが作成されてしまう。ユーザが聞きたい曲が何枚目のディスクに入っていたのかが分からないような場合、それぞれのプレイリストを呼び出して曲を検索しなければならず操作が面倒であった。
【００１５】
そこで、本発明は上記従来技術の問題点を解決し、所定の関連のある複数の記録媒体から曲データが記録手段に記録された場合でも、検索し易いプレイリストを提供できる再生装置、曲データの再生方法及び曲データ再生プログラムを提供することを目的とする。
【００１６】
【課題を解決するための手段】
上記課題を解決するために、本発明の再生装置は、所定の読取手段にセットされた記録媒体に記録された曲データを所定の記録手段に複製する複製手段と、前記記録手段に複製した曲データを再生する再生手段とを有する再生装置において、前記記録媒体に記録されている曲データのプレイリストを作成するリスト作成手段と、前記リスト作成手段により作成したプレイリストを保持するリスト保持手段と、前記リスト作成手段により作成したプレイリストが予め前記リスト保持手段に保持されているプレイリストと所定の関係がある場合に、これらのプレイリストを結合するリスト結合手段とを有することを特徴とする。
【００１７】
本発明によれば、リスト作成手段により作成したプレイリストが予めリスト保持手段に保持されているプレイリストと所定の関係がある場合に、両プレイリストを結合するようにしたので、所定の関連のある複数の記録媒体から曲データが記録手段に記録されている場合でも、ユーザが検索し易いプレイリストを提供することができる。これにより、ユーザは所望の曲を容易に検索することができる。
【００１８】
また、本発明の再生装置は、所定の読取手段にセットされた記録媒体に記録された曲データを所定の記録手段に複製する複製手段と、前記記録手段に複製した曲データを再生する再生手段とを有する再生装置において、前記記録媒体に記録されている曲データのプレイリストを作成するリスト作成手段と、前記リスト作成手段により作成したプレイリストを保持するリスト保持手段と、再生のために、前記リスト保持手段に保持されているプレイリストが選択された際、選択された該プレイリストが前記リスト保持手段に保持されているプレイリストと所定の関係のある場合に、これらのプレイリストを結合するリスト結合手段と、前記リスト結合手段により結合したプレイリストを表示装置に表示する手段とを有することを特徴とする。
【００１９】
本発明によれば、再生のために、リスト保持手段に保持されているプレイリストが選択された際、選択されたプレイリストがリスト保持手段に保持されているプレイリストと所定の関係のある場合に、これらのプレイリストを結合し、結合したプレイリストを表示するようにしたので、所定の関連のある複数の記録媒体から曲データが記録手段に記録されている場合でも、ユーザに検索し易いプレイリストを提供することができる。これにより、ユーザは所望の曲を容易に検索することができる。
【００２０】
また、本発明の再生装置は、上記構成において、更に、前記リスト結合手段によりプレイリストを結合する際に、プレイリストを結合するか否かをユーザに選択させるためのダイアログを表示するダイアログ表示手段を有することを特徴とする。本発明によれば、ユーザは、プレイリストを結合するか否かを任意に選択することができる。
【００２１】
また、上記所定の関係は、前記記録媒体に付与されたタイトルが同一の関係、アーティスト名が同一の関係及び識別コードが連番の関係のうちの少なくともいずれか一つの関係を含むことを特徴とする。本発明によれば、前記記録媒体に付与されたタイトルが同一、アーティスト名が同一及び識別コードが連番のうちの少なくともいずれか一つの関係を有する場合に、結合したプレイリストをユーザに提供することができる。
【００２２】
また、本発明の曲データの再生方法は、所定の読取手段にセットされた記録媒体に記録された曲データを所定の記録手段に複製し、複製した前記曲データを再生する曲データの再生方法において、前記記録媒体に記録されている曲データのプレイリストを作成するリスト作成段階と、前記リスト作成段階により作成したプレイリストをリスト保持手段に保持させる段階と、前記リスト作成段階により作成されるプレイリストが予め前記リスト保持手段に保持されているプレイリストと所定の関係がある場合に、これらのプレイリストを結合するリスト結合段階とを有することを特徴とする。
【００２３】
本発明によれば、作成されたプレイリストが予めリスト保持手段に保持されているプレイリストと所定の関係がある場合に、これらのプレイリストを結合するようにしたので、所定の関連のある複数の記録媒体から曲データが記録手段に記録されている場合でも、ユーザに検索し易いプレイリストを提供することができる。これにより、ユーザは所望の曲を容易に検索することができる。
【００２４】
また、本発明の曲データ再生方法は、所定の読取手段にセットされた記録媒体に記録された曲データを所定の記録手段に複製し、複製した前記曲データを再生する曲データの再生方法において、前記記録媒体に記録されている曲データのプレイリストを作成するリスト作成段階と、前記リスト作成段階により作成したプレイリストをリスト保持手段に保持させるリスト保持段階と、再生のために、前記リスト保持手段に保持されているプレイリストが選択された際、選択された該プレイリストが前記リスト保持手段に保持されているプレイリストと所定の関係のある場合に、これらのプレイリストを結合するリスト結合段階と、前記リスト結合段階により結合したプレイリストを表示装置に表示する段階とを有することを特徴とする。
【００２５】
本発明によれば、再生のために、リスト保持手段に保持されているプレイリストが選択された際、選択されたプレイリストがリスト保持手段に保持されているプレイリストと所定の関係のある場合に、これらのプレイリストを結合し、結合したプレイリストを表示するようにしたので、所定の関連のある複数の記録媒体から曲データが記録手段に記録されている場合でも、ユーザに検索し易いプレイリストを提供することができる。これにより、ユーザは所望の曲を容易に検索することができる。
【００２６】
また、本発明の曲データの再生方法は、上記構成において、更に、前記リスト結合段階によりプレイリストを結合する際に、プレイリストを結合するか否かをユーザに選択させるためのダイアログを表示するダイアログ表示段階を有することを特徴とする。本発明によれば、ユーザは、プレイリストを結合するか否かを任意に選択することができる。
【００２７】
また、本発明の曲データの再生プログラムは、所定の読取手段にセットされた記録媒体に記録された曲データを所定の記録手段に複製し、前記記録手段に複製した曲データを再生するためにコンピュータを、前記記録媒体に記録されている曲データのプレイリストを作成するリスト作成手段、前記リスト作成手段により作成したプレイリストをリスト保持手段に保持させる手段、前記リスト作成手段により作成したプレイリストが予め前記リスト保持手段に保持されているプレイリストと所定の関係がある場合に、これらのプレイリストを結合するリスト結合手段として機能させる。
【００２８】
本発明によれば、作成されたプレイリストが予めリスト保持手段に保持されているプレイリストと所定の関係がある場合に、これらのプレイリストを結合するようにしたので、所定の関連のある複数の記録媒体から曲データが記録手段に記録されている場合でも、ユーザに検索し易いプレイリストを提供することができる。これにより、ユーザは所望の曲を容易に検索することができる。
【００２９】
本発明の曲データの再生プログラムは、所定の読取手段にセットされた記録媒体に記録された曲データを所定の記録手段に複製し、前記記録手段に複製した曲データを再生するために、コンピュータを、前記記録媒体に記録されている曲データのプレイリストを作成するリスト作成手段、前記リスト作成手段により作成したプレイリストをリスト保持手段に保持させるリスト保持手段、再生のために、前記リスト保持手段に保持されているプレイリストが選択された際、選択された該プレイリストが前記リスト保持手段に保持されているプレイリストと所定の関係のある場合に、これらのプレイリストを結合するリスト結合手段、前記リスト結合手段により結合したプレイリストを表示装置に出力する手段として機能させる。
【００３０】
本発明によれば、再生のために、リスト保持手段に保持されているプレイリストが選択された際、選択されたプレイリストがリスト保持手段に保持されているプレイリストと所定の関係のある場合に、これらのプレイリストを結合するようにしたので、所定の関連のある複数の記録媒体から曲データが記録手段に記録されている場合でも、ユーザに検索し易いプレイリストを提供することができる。これにより、ユーザは所望の曲を容易に検索することができる。
【００３１】
また、本発明の曲データの再生プログラムは、上記構成において、更に、前記リスト結合手段によりプレイリストを結合する際に、プレイリストを結合するか否かをユーザに選択させるためのダイアログを表示装置に出力するダイアログ出力手段を有することを特徴とする。本発明によれば、ユーザは、プレイリストを結合するか否かを任意に選択することができる。
【００３２】
【発明の実施の形態】
以下、本発明を適用した一実施の形態について、図面を参照しながら説明する。図１は、本実施形態による再生装置１の構成を示すブロック図である。再生装置１は、曲検索システムサーバ３０に接続されている。図１に示すように、再生装置１は、オーディオコントローラ１１と、メモリコントローラ１２とＲＯＭ（Ｒｅａｄ  Ｏｎｌｙ  Ｍｅｍｏｒｙ）１３と、ＲＡＭ（Ｒａｎｄｏｍ  Ａｃｃｅｓｓ  Ｍｅｍｏｒｙ）１４と、エンコーダ／デコーダ１５と、ＣＤ読取部１６と、ソース切替部１７と、アンプ１８と、ボリュームコントローラ１９とを有する。
【００３３】
ソース切替部１７は、音声出力するコンテンツのソースを接続された情報ソースの中から切り換える。ソース切替部１７には、例えば図示するように、ラジオ受信部２５とＣＤ読取部１６（音楽ＣＤやＣＤ−ＲＯＭ等、以下ＣＤメディアという）と記録装置（ＨＤＤ）２１とが接続されている。
【００３４】
オーディオコントローラ１１は、ユーザからＣＤメディアからの再生機能が選択された場合、メモリコントローラ１２を介してＲＯＭ１３又はＲＡＭ１４から所定のプログラム及び各種情報（以下で説明する動作を実現するプログラム及び各種情報）をロードし、これを実行する。即ち、ソース切替部１７においてＣＤ読取部１６を情報ソースとして設定させ、これにより入力された曲データをアンプ１８を介してボリュームコントローラ１９へ入力する。
【００３５】
また、オーディオコントローラ１１は、所定のプログラムに基づき、記録媒体に記録されている曲データのプレイリストを作成するリスト作成手段、リスト作成手段により作成したプレイリストをリスト保持手段に保持させる手段、リスト作成手段により作成されたプレイリストが予めリスト保持手段に保持されているプレイリストと所定の関係がある場合に、これらのプレイリストを結合するリスト結合手段として機能する。プレイリストは例えばテキストデータで作成されており、オーディオコントローラ１１はテキストデータを識別する機能を有する。
【００３６】
ここで、所定の関係とは、何らかの関連性がある関係をいい、例えば、記録媒体に付与されたタイトル（アルバム名）が同一の関係、アーティスト名が同一の関係及び識別コードが連番の関係等をいう。ライブ盤やベスト盤等のように、１つのアルバムでも複数枚に渡る音楽ＣＤは、この所定の関係に含まれる。
【００３７】
また、オーディオコントローラ１１は、所定のプログラムに基づき、再生のために、リスト保持手段に保持されているプレイリストが選択された際、選択されたプレイリストがリスト保持手段に保持されているプレイリストと所定の関係のある場合に、これらのプレイリストを結合するリスト結合手段、リスト結合手段により結合したプレイリストを表示装置に出力する手段として機能する。また、オーディオコントローラ１１は、リスト結合手段によりプレイリストを結合する際に、プレイリストを結合するか否かをユーザに選択させるためのダイアログを表示装置２４に表示するダイアログ表示手段として機能する。
【００３８】
オーディオコントローラ１１は、ユーザにより設定された音量（ボリューム）に基づいて、ボリュームコントローラ１９を制御する。ボリュームコントローラ１９は、この制御に基づいて、対応する振幅のアナログ信号を生成し、これをスピーカ２２に入力して再生する。
【００３９】
このような構成において、ＣＤメディアに格納された曲データの複製が要求された場合、オーディオコントローラ１１は、ソース切替部１７を制御して、ＣＤ読取部１６で読み取った曲データの出力先をエンコーダ／デコーダ１５に切り換える。
【００４０】
エンコーダ／デコーダ１５は、入力された曲データを、ＭＰＥＧ方式やＭＰ３方式やＡＴＲＡＣ３方式等の所定の圧縮符号化方式で符号化し、これを記録装置（Ｈａｒｄ  Ｄｉｓｋ  Ｄｒｉｖｅ：ＨＤＤ）２１に格納する。
【００４１】
また、記録装置２１に記録された曲データを再生する場合、オーディオコントローラ１１は、ソース切替部１７を制御して情報ソースを記録装置２１に設定し、出力先をエンコーダ／デコーダ１５に設定する。エンコーダ／デコーダ１５でデコードされた曲データは、その後、アンプ１８及びボリュームコントローラ１９を介してアナログ信号としてスピーカ２２より出力される。
【００４２】
次に、曲検索システムサーバ３０について説明する。図１に示すように、曲検索システムサーバ３０は、サーバ本体３１と楽曲情報データベース３２とにより構成されている。楽曲情報データベース３２には、多数の音楽ＣＤのＴＯＣ情報と、各音楽ＣＤ毎の楽曲情報（ＣＤタイトル、アーティスト名、ミュージックジャンル及びトラックタイトル等）とが記憶されている。なお、楽曲情報データベース３２は上記ＣＤＤＢに相当する。
【００４３】
次に、楽曲情報データベースに記憶されている楽曲情報について説明する。図２は、楽曲情報データベースに記憶されている楽曲情報を説明するための図である。図２（ａ）（ｂ）は１つのアルバムで複数枚（２枚）に渡る音楽ＣＤの楽曲情報を示している。図２（ａ）は、アルバムのディスク１に関する楽曲情報を示している。図２（ｂ）は、（ａ）に示したアルバムのディスク２に関する楽曲情報を示している。
【００４４】
図２（ａ）に示すように、ディスク１に関する楽曲情報には、ディスクタイトル：「Ｅｓｃａｐｅ−ＣＯＭＰＬＥＴＥ  ＢＥＳＴ−Ｄｉｓｃ１」、アーティスト名：「ＵＤＹ  ＡＮＤ  ＡＲＹ」、時間情報：「７３：２８」、ＩＳＲＣＮＯ．ＥＳＣＢ−２２３０、曲番号（ＮＯ．）：「１〜１５」、各曲番号に対応した曲のタイトル、各曲毎の時間情報（Ｔｉｍｅ）が含まれている。
【００４５】
また、図２（ｂ）に示すように、ディスク２に関する楽曲情報には、ディスクタイトル：「Ｅｓｃａｐｅ−ＣＯＭＰＬＥＴＥ  ＢＥＳＴ−Ｄｉｓｃ２」、アーティスト名：「ＵＤＹ  ＡＮＤ  ＡＲＹ」、時間情報：「７４：０２」、ＩＳＲＣＮＯ．ＥＳＣＢ−２２３１、曲番号（ＮＯ．）：「１〜１５」、各曲番号に対応した曲のタイトル、各曲毎の時間情報（Ｔｉｍｅ）が含まれる。なお、ＩＳＲＣＮｏ．は、音楽ソフトウエアに付けられた国際標準の識別コードである。このＩＳＲＣＮｏ．が本発明における識別コードに相当する。
【００４６】
次に、オーディオコントローラ１１で作成されるプレイリストの管理方法について説明する。図３は、プレイリストの管理システムを示す図であり、複数のプレイリストを管理するプレイリスト管理テーブル２１１と、プレイリスト管理テーブル２１１により管理されるプレイリスト２１２とで実現される。
【００４７】
このプレイリスト管理テーブル２１１に管理されるプレイリスト２１２は、記録装置２１に格納され、使用対象として選択されたプレイリスト２１２が記録装置２１から主メモリ（ＲＯＭ１３／ＲＡＭ１４）にロードされ再生制御の際に参照される。このプレイリスト管理テーブル２１１に管理されるプレイリスト２１２は、任意に呼び出して編集することができる。
【００４８】
次に、本実施の形態の再生装置の動作例について説明する。図４は、本実施の形態における再生装置の動作フローチャートである。図５は、所定のアルバムのディスク１のプレイリストを示す図である。なお、以下では、図５に示す所定のアルバムのディスク１のプレイリストが図３で示したプレイリスト管理テーブル２１１に予め登録されているものとして動作を説明する。
【００４９】
ステップＳ１０１において、オーディオコントローラ１１は、ＣＤ読取部１６にＣＤが挿入されたかどうかを判定する。ステップＳ１０２において、オーディオコントローラ１１は、ＣＤ読取部１６（ＣＤドライブ）に音楽ＣＤが装填されていると判定した場合には、ＣＤ読取部１６を介して音楽ＣＤのＴＯＣ情報を取得する。この音楽ＣＤは、所定のアルバムのディスク２であるものとする。
【００５０】
ステップＳ１０３において、オーディオコントローラ１１は、通信部２６を介して、曲検索システムサーバ３０にアクセスして、ＣＤ読取部１６を介して取得したＴＯＣ情報を送信する。曲検索システムサーバ３０は、再生装置１からＴＯＣ情報を受信すると、ＴＯＣ情報を検索キーとして楽曲情報データベース３２を検索する。曲検索システムサーバ３０は、検索キーに一致した楽曲情報を再生装置１に送信する。これにより、オーディオコントローラ１１は、通信部２６を介して、曲検索サーバ３０からの楽曲情報を取得する。
【００５１】
ステップＳ１０４において、オーディオコントローラ１１は、ＣＤＤＢに楽曲情報が有ったか否かを判定する。ステップＳ１０４において、オーディオコントローラ１１は、曲検索システムサーバ３０に希望の楽曲情報が有った場合には、ステップＳ１０５において、曲検索システムサーバ３０から得た楽曲情報、すなわち、ＣＤタイトル、アーティスト名、ミュージックジャンル及びトラックタイトル等の情報をＴＯＣ情報と関連づけたプレイリストを作成し、これを表示装置２４に表示する。
【００５２】
図６は、所定のアルバムのディスク２のプレイリストを示す図である。図６に示すように、作成されたプレイリストには、プレイリスト名、アーティスト名、トラック番号、トラック番号に対応した曲のタイトル、各曲の時間情報が含まれている。また、オーディオコントローラ１１は、作成したプレイリストをＲＡＭ１４に一時格納する。
【００５３】
一方、ステップ１０４において、オーディオコントローラ１１は、曲検索システムサーバ３０に希望する楽曲情報が無かった場合には、ステップＳ１０６において、通常の曲情報（トラック番号等）を表示装置２４に表示する。ステップＳ１０７において、オーディオコントローラ１１は、ユーザの指示に基づき、音楽ＣＤの再生を開始する。
【００５４】
ステップＳ１０８において、オーディオコントローラ１１は、ユーザから録音指示が有るかどうかを判定し、ユーザから録音指示が有った場合には、ステップＳ１０９において、既に録音してあるアルバムのタイトル情報を記録装置２１から取得する。
【００５５】
ステップＳ１１０において、オーディオコントローラ１１は、記録装置２１から取得したタイトル情報に録音対象アルバムのタイトル情報と連番のものが有るかどうかを判定する。この例では、タイトル：「Ｅｓｃａｐｅ」で、かつ、ディスク２と連番のディスク１のタイトル情報が記録装置２１に存在するか否かを判定する。
【００５６】
ステップＳ１１０において、オーディオコントローラ１１は、取得したタイトル情報に録音対象アルバムのタイトル情報と連番のものがあると判定した場合には、ステップＳ１１１において、図７に示すように、既に記録されている所定のアルバムのプレイリストにプレイリストを結合するか否かのダイアログを表示装置２４に表示する。すなわち、図５に示すディスク１のプレイリストと、図６に示すディスク２のプレイリストを結合するか否かをユーザに問い合わせる。
【００５７】
ステップＳ１１２において、オーディオコントローラ１１は、ユーザが新規プレイリストを既存のプレイリストに加えないように指示したと判定した場合には、ステップＳ１１６に進む。ステップＳ１１２において、オーディオコントローラ１１は、ユーザが既存のプレイリストに新規プレイリストを加えるように指示したと判定した場合には、ステップＳ１１３において、音楽ＣＤの録音を開始する。
【００５８】
ステップＳ１１４において、オーディオコントローラ１１は、図５に示す所定アルバムのディスク１のプレイリストに、録音対象アルバムの録音済み曲目を追加する。すなわち、図５に示すディスク１のプレイリストと図６に示すディスク２のプレイリストとを結合する。このようにして結合された結合プレイリストを図８に示す。
【００５９】
図８に示すように、結合されたプレイリストには、プレイリスト名、アーティスト名、トラック番号、トラック番号に対応した曲名、各曲の曲情報が含まれている。ディスク２のトラック番号は、ディスク１のトラック番号と重複しないように、「１６〜３０」に変換されて再付与される。図８に示すような結合プレイリストを作成し、これを表示することにより、ユーザは複数の音楽ＣＤに渡るアルバムを一枚の音楽ＣＤで作成されたアルバムであるかのように検索を行うことができるため、操作性も向上する。
【００６０】
ステップＳ１１５において、オーディオコントローラ１１は、録音が終了したか否かを判定し、録音が終了した場合には、ステップＳ１１９に進む。
【００６１】
一方、ステップＳ１１０において、オーディオコントローラ１１は、取得したタイトル情報に録音対象アルバムのタイトル情報とタイトルが同じで、かつ連番のプレイリストがないと判定した場合には、ステップＳ１１６において、ディスク２の録音を開始する。
【００６２】
ステップＳ１１７において、オーディオコントローラ１１は、録音が終了したか否かを判定し、録音が終了したと判定した場合には、ステップＳ１１８において、録音対象アルバムのプレイリスト、すなわちステップＳ１０５で作成したディスク２のプレイリストを記録装置２１に格納する。
【００６３】
ステップＳ１１９において、オーディオコントローラ１１は、再生が終了したと判定した場合には、処理を終了し、再生が終了していないと判定した場合には、ステップＳ１０８に戻る。再生時には、ユーザの指示に基づき、図８に示す結合プレイリストが記録装置２１からＲＡＭ１４にロードされ再生制御の際に参照されるとともに、結合プレイリストは表示装置２４に表示され、ユーザに提供される。ユーザは表示装置２４に表示された結合プレイリストに基づき、入力装置２３から所定の操作を行うことにより、任意の曲データを再生することができる。また、ユーザは、結合プレイリストを用いてランダム再生やスキャンをすることもできる。
【００６４】
以上のような再生装置の動作により、作成したプレイリストが予め記録装置２に保持されているプレイリストと所定の関係がある場合に、両プレイリストを結合して表示するようにしたので、所定の関連のある複数の記録媒体が記録手段に記録されたような場合でも、ユーザにとって検索し易いプレイリストを提供することができる。これにより、ユーザは所望の曲を容易に検索することができる。
【００６５】
なお、上記実施の形態では、ステップＳ１１０において、録音対象アルバムのタイトル名が同一でかつ連番のディスクが記録装置２１に存在する場合に、ディスク１のプレイリストと、ディスク２のプレイリストを結合するようにした例について説明したが、これに限定されることなく、ディスク１とディスク２とが種々関係にある場合に複数のリストを結合することができる。例えば、アルバムのタイトル名の一部が同一で、かつ、ＩＳＲＣＮｏ．が連番のタイトル情報が記録装置２１にある場合に、これらは所定の関係にあるものとして、各プレイリストを結合するようにしてもよい。
【００６６】
次に、図４とは異なる再生装置の他の動作例について説明する。図９は、本実施の形態に係る再生装置の他の動作例を示すフローチャートである。なお、図９に示す動作例では、オーディオコントローラ１１が記録装置２１に保持されているプレイリストが選択された際、選択されたプレイリストが記録装置２１に保持されているプレイリストと所定の関係がある場合に、これらのプレイリストを結合するようにしたものである。
【００６７】
ステップＳ２０１において、オーディオコントローラ１１は、ユーザからプレイリストの表示指示又はプレイリストの検索指示が有った場合には、ステップＳ２０２に進み、記録装置２１にアクセスして、アルバムタイトル同一であり、かつディスク番号が連番のプレイリストを検索する。
【００６８】
ステップＳ２０３において、オーディオコントローラ１１は、アルバムタイトルが同一でディスク番号が連番のプレイリストが記録装置２１に有ったと判定した場合には、アルバムタイトルが連番の番号順にプレイリストを結合して、結合したプレイリストを表示装置２４に表示する。この時、表示装置２４には、図８に示す結合されたプレイリストが表示される。
【００６９】
一方、ステップＳ２０３において、オーディオコントローラ１１は、アルバムタイトルが連番のプレイリストが無いと判定した場合には、ステップＳ２０５において、通常のプレイリストを表示装置２４に表示する。
【００７０】
ステップＳ２０６において、オーディオコントローラ１１は、記録装置２１にアクセスして、選択された曲が有るか否かを判定し、記録装置２１に選択された曲があった場合には、ステップＳ２０７において、表示装置２４へのプレイリストの表示を終了する。ステップＳ２０８において、オーディオコントローラ１１は、選択された曲から再生を開始する。
【００７１】
以上、本発明の一実施の形態を説明した。本発明は上記実施の形態に限定されるものではなく、本発明の要旨の範囲内において種々の変形が可能である。
【００７２】
プレイリストの結合は、図４や図９を参照して説明した方法に限定されない。例えば、図４のステップＳ１０７の再生をジャンプしてステップＳ１０５からステップＳ１０８に進む手順であってもよい。また、ステップＳ１１３をジャンプする手順であってもよい。更に、ステップＳ１０７及びＳ１０８をジャンプし、ステップＳ１０５からステップＳ１１０に直接進む手順であってもよい。つまり、ＣＤを挿入すると、再生を開始することなくステップＳ１１１のダイアログが自動的に表示される。
【００７３】
また、図４のステップＳ１０８−Ｓ１１９のループにより曲毎にプレイリストを結合するかどうかの判断及びプレイリストの追加を行う必要はなく、結合可能な一又は複数の曲を一度に表示して、プレイリストに加えるかどうかを曲毎に選択できるようにしてもよい。また、曲毎に選択するのではなく、結合可能な曲をまとめてプレイリストに加えるかどうかのダイアログを用いてもよい。この場合、結合した後に、希望する曲のみを残し、不必要な曲を結合したプレイリストから削除できるようにすることもできる。
【００７４】
また、図４や図９の処理はオーディオコントローラ１１による処理に限定されない。例えば、サーバ本体３１が図４や図９の処理の一部又は全部（ただし、ステップＳ１０７などの再生装置１固有の処理を除く）を扱う構成であってもよい。
【００７５】
なお、本実施の形態では、曲データを記録した記録媒体として音楽ＣＤを例にとって説明したため、図１では、読取手段の例としてＣＤ読取部１６を用いて説明したが、記録媒体としてＭＤやメモリカード等を用いる場合には、ＭＤ、メモリカード等を読取ことができる読取手段を用いることができる。記録媒体には、曲データを記録するあらゆる媒体が含まれる。
【００７６】
【発明の効果】
以上説明したように、本発明によれば、所定の関連のある複数の記録媒体が記録手段に記録された場合でも、ユーザが検索し易いプレイリストを提供することができる。
【図面の簡単な説明】
【図１】本実施形態による再生装置１の構成を示すブロック図である。
【図２】楽曲情報データベースに記憶されている楽曲情報を説明するための図である。
【図３】プレイリストの管理機構を示す図である。
【図４】本実施の形態に再生装置の動作フローチャートである。
【図５】所定のアルバムのディスク１のプレイリストを示す図である。
【図６】所定のアルバムのディスク２のプレイリストを示す図である。
【図７】既に記録してあるアルバムのプレイリストにプレイリストを結合するか否かのダイアログの表示例を示す図である。
【図８】結合したプレイリストを示す図である。
【図９】本実施の形態に係る再生装置の他の動作例を示すフローチャートである。
【符号の説明】
１  再生装置
１１  オーディオコントローラ
１６  ＣＤ読取部
２１  記録装置（ＨＤＤ）
２４  表示装置
３０  曲検索システムサーバ
【図１】
2004348778.tif 000003
【図２】
2004348778.tif 000004
【図３】
2004348778.tif 000005
【図４】
2004348778.tif 000006
【図５】
2004348778.tif 000007
【図６】
2004348778.tif 000008
【図７】
2004348778.tif 000009
【図８】
2004348778.tif 000010
【図９】
2004348778.tif 000011